(57)【特許請求の範囲】
【請求項１】
絶縁樹脂で成形されるコネクタプラグのプラグ本体に対して、コネクタソケットのソケット部が挿入されるプラグ穴及びヒューズを挿入されるヒューズ穴が形成され、同プラグ本体がプリント回路基板に、前記ソケット部及びヒューズの挿入方向を前記プリント基板に対して平行にして搭載される電源コネクタにおいて、
前記ヒューズ穴に挿入された前記ヒューズの前方位置に前記コネクタソケットの樹脂製ソケット本体の下面から垂下された板状の抜出し防止片が、前記ヒューズの前面側にのみ配置されるように前記ソケット本体に一体成形されてなり、
前記プラグ本体と前記ソケット本体とはこれらの何れか一方に設けるロック爪と他方の内部に設けられて同ロック爪に係合するロックハンドルとにより鎖錠され、
この鎖錠によって、前記抜出し防止片を前記ヒューズの前方位置に、挿入された前記ヒューズの挿入状態を側方から目視しうる状態で固定して、前記ヒューズの抜け出しを防止することを特徴とする電源コネクタ。
【請求項２】
前記抜出し防止片には前記ヒューズの定格表示を外部に露呈させる露呈窓が形成されたことを特徴とする請求項１記載の電源コネクタ。
【発明の詳細な説明】
【０００１】
【発明の属する技術分野】
本発明は電源コネクタに関し、特に、機器のプリント回路基板に搭載して用いる電源コネクタに関する。
【０００２】
【背景技術】
周知のように、例えばカーオディオに用いられるヒューズ付電源コネクタにおいては、図６及び図７に示すように、カーオディオシャーシ１Ａのプリント回路基板２Ａの端部にコネクタプラグを搭載され、同カーオディオシャーシ１Ａの裏面からプラグ穴３Ａ及びヒューズ穴４Ａを外部に露呈される。
つまり、前記コネクタプラグは絶縁樹脂で成形されるプラグ本体５Ａを備え、このプラグ本体５Ａのプラグ穴３Ａには外部接続用のコネククタソケットを、ヒューズ穴４Ａにブレードヒューズ６Ａを挿入して用いられる。
【０００３】
即ち、プラグ本体５Ａのプラグ穴３Ａの内部には、”Ｌ”字状に曲げ加工される複数の接続ピン７Ａの一端部７ａが位置され、これらの接続ピン７Ａの他端部７ｂは、プリント回路基板２Ａの信号ライン導体にそれぞれ電気的に接続される。
【０００４】
そして、前記ヒューズ穴４Ａの内部にはブレードヒューズ６Ａの一対の導電ブレード６ａ，６ｂにそれぞれ接触されるグランド側端子１１Ａ（電源端子）及びプラス側端子１２Ａ（電源端子）の接触端部１１ａ，１２ａがそれぞれ位置される。これらのグランド側端子１１Ａ及びプラス側端子１２Ａの接続端部１１ｂ，１２ｂは、前述した信号ライン導体とは異なった位置に配列される前記接続導体１０Ａにそれぞれ電気的に接続されることになる。
【０００５】
【発明が解決しようとする課題】
したがって、このような構造のヒューズ付電源コネクタにあっては、図６の矢印で示されるように、ヒューズ穴４Ａにブレードヒューズ６Ａの導電ブレード６ａ，６ｂを挿入することにより、短絡事故時等の過大電流の流過を防止することになるが、車体の振動等によりブレードヒューズ６Ａがヒューズ穴４Ａから抜け出すことがある。つまり、ヒューズ穴４Ａからブレードヒューズ６Ａの導電ブレード６ａ，６ｂが不容易に抜け出すと、電源電圧がプリント回路基板２Ａに印加されなくなり、カーオーディオに電源電圧を印加できないという問題がある。
また、ヒューズ穴４Ａから抜け出したブレードヒューズ６Ａの導電ブレード６ａ，６ｂに手等が触れると、感電する等の可能性がある。
【０００６】
本発明の目的は、以上にのべたような従来の電気コネクタの問題に鑑み、使用中にブレードヒューズが不容易に抜け出すことがない、安価な構造のヒューズ付電源コネクタを得るにある。
【０００７】
【課題を解決するための手段】
この目的を達成するため、本発明は、絶縁樹脂で成形されるコネクタプラグのプラグ本体に対して、コネクタソケットのソケット部が挿入されるプラグ穴及びヒューズを挿入されるヒューズ穴が形成され、同プラグ本体がプリント回路基板に、前記ソケット部及びヒューズの挿入方向を前記プリント基板に対して平行にして搭載される電源コネクタにおいて、前記ヒューズ穴に挿入された前記ヒューズの前方位置に前記コネクタソケットの樹脂製ソケット本体の下面から垂下された板状の抜出し防止片が、前記ヒューズの前面側にのみ配置されるように前記ソケット本体に一体成形されてなり、前記プラグ本体と前記ソケット本体とはこれらの何れか一方に設けるロック爪と他方の内部に設けられて同ロック爪に係合するロックハンドルとにより鎖錠され、この鎖錠によって、前記抜出し防止片を前記ヒューズの前方位置に、挿入された前記ヒューズの挿入状態を側方から目視しうる状態で固定して、前記ヒューズの抜け出しを防止する電源コネクタを提案するものである。
【０００８】
後述する本発明の好ましい実施例の説明においては、前記抜出し防止片には前記ヒューズの定格表示を外部に露呈させる露呈窓が形成された構造が説明される。
【０００９】
【発明の実施の形態】
以下、図１から図５について本発明の実施例の詳細を説明する。
図示実施例はカーオディオシャーシ１のプリント回路基板２の端部にコネクタプラグＣＰのプラグ本体５を搭載し、同カーオディオシャーシ１の裏面から外部に露呈された同プラグ本体５のプラグ穴３には外部接続用のコネクタソケットＣＳが接続された例である。
【００１０】
即ち、プラグ本体５のプラグ穴３の内部には、”Ｌ”字状に曲げ加工される複数の接続ピン７の一端部７ａが位置され、これらの接続ピン７の他端部７ｂは、詳細を図５に示すプリント回路基板２の信号ライン導体８の対応した各ランド８ａにそれぞれハンダ付けされる。
また、絶縁樹脂で成形されるプラグ本体５のヒューズ穴４には一対の導電ブレード６ａ，６ｂをもつブレードヒューズ６が挿入されるが、同ヒューズ穴４の内部にはこれらの導電ブレード６ａ，６ｂに接触される一対の電源端子１５，１６が配置される。
【００１１】
これらの電源端子１５，１６の内の電源端子１５は導電ブレード６ａに弾力的に接触できる接触端部１５ａを有し、この接触端部１５ａには前述した信号ライン導体８のランド８ａのひとつにハンダ付けされる延長接続端部１５ｂが一体に曲げ成形される。この延長接続端部１５ｂは、プラグ本体５の幅方向に隣り合わされた電源端子１６へ向かって略水平方向へ伸びる移行延長部１５ｃと、この移行延長部１５ｃの先端に連続されて略垂直に延長する接続端部１５ｄとを備え、この接続端部１５ｄの下端はプリント回路基板２のひとつのランド８ａにハンダ付けされる。
【００１２】
一方、他方の電源端子１６はブレードヒューズ６の導電ブレード６ｂに接触される接触端部１６ａを有し、この接触端部１６ａの後端には上方に向かって略直角に曲げ加工された接続端部１６ｂを備えている。この接続端部１６ｂには、前記接続ピン７のひとつ７Ｘがハンダ付けされるから、同接続ピン７Ｘは電源端子１６、ブレードヒューズ６、電源端子１５を介してプリント回路基板２の電源導体１７に電気的に導通状態におかれる。
【００１３】
前述したプラグ穴３にはこれも樹脂成形されるコネクタソケットＣＳのソケット本体１８のソケット部１８ａを挿入できるけれども、同ソケット部１８ａがプラグ穴３に完全に挿入されたとき、各接続ピン７にはコネクタソケットＣＳの対応するコンタクタ１９がそれぞれ接触される。
また、前記ソケット本体１８の上部には前記プラグ本体５の頂面のロック爪２０に係合できるロックハンドル２１が一体成形されるから、電源コネクタの接続状態では、同ロックハンドル２１の先端フック２１ａとロック爪２０の係合により、コネクタソケットＣＳはプリント回路基板２上のコネクタプラグＣＰに鎖錠される。
【００１４】
前述したソケット本体１８の前部には前記ブレードヒューズ６の前方位置に垂下された抜出し防止片２２が一体成形され、同抜出し防止片２２にはブレードヒューズ６の定格表示２３を外部に露呈させる露呈窓２４が形成してある。
【００１５】
図示実施例による電源コネクタは、以上のような構造であるので、コネクタソケットＣＳに接続された電源ハーネス及び信号ハーネスはコネクタプラグＣＰを介してプリント回路基板２の対応する電源導体１７及び信号ライン導体８にそれぞれ接続されることになる。
【００１６】
コネクタプラグＣＰとコネクタソケットＣＳとの接続状態においては、ロック爪２０に対するロックハンドル２１の係合によりロック状態が維持されかつ抜出し防止片２２がブレードヒューズ６の前方に位置するから、同ブレードヒューズ６が車体振動等でヒューズ穴４から抜け出すのが防止され、一部が露呈した導電ブレード６ａ，６ｂに異物の接触や感電が発生するのが阻止される。
【００１７】
【発明の効果】
以上の説明から明らかなように、本発明の電源コネクタにおいては、ソケット本体に抜出し防止片を一体成形しておくだけでヒューズ穴からのヒューズの不用意な抜け出しを防止して、電源投入が不可能になる事故や感電事故を防止でき、ロックハンドルによるロック状態の維持によりヒューズの抜け出し防止機能がより確実になる。また、請求項２の記載の発明では、外部から使用ヒューズの定格電流を簡単に確認できる。
【図面の簡単な説明】
【図１】本発明による電源コネクタの全体分解斜視図である。
【図２】一部を切欠いて示す同電源コネクタの背面図である。
【図３】図２の３−３線に沿う断面図である。
【図４】図２の４−４線に沿う断面図である。
【図５】同電源コネクタが搭載されるプリント回路基板の要部拡大平面図である。
【図６】従来の電源コネクタの分解斜視図である。
【図７】同電源コネクタの断面図である。
【符号の説明】
ＣＰ        コネクタプラグ
ＣＳ        コネクタソケット
２          プリント回路基板
３          プラグ穴
４          ヒューズ穴
５          プラグ本体
６          ブレードヒューズ
６ａ，６ｂ  導電ブレード
７，７Ｘ    接続ピン
８          信号ライン導体
１５        電源端子
１５ｂ      延長接続端部
１５ｃ      移行延長部
１５ｄ      接続端部
１６        電源端子
１６ｂ      接続端部
１７        電源導体
１８        ソケット本体
２０        ロック爪
２１        ロックハンドル
２２        抜出し防止片
２３        定格表示
２４        露呈窓
【図１】
0003864559.tif 000002
【図２】
0003864559.tif 000003
【図３】
0003864559.tif 000004
【図４】
0003864559.tif 000005
【図５】
0003864559.tif 000006
【図６】
0003864559.tif 000007
【図７】
0003864559.tif 000008